【手続補正書】
【提出日】平成26年1月31日(2014.1.31)
【手続補正１】
【補正対象書類名】特許請求の範囲
【補正対象項目名】全文
【補正方法】変更
【補正の内容】
【特許請求の範囲】
【請求項１】
クライアント端末とウェブページを提供するウェブサーバと通信可能な情報処理装置であって、
前記クライアント端末のブラウザの画面に表示されるウェブページのＵＲＬと、前記ウェブページを提供する当該ＵＲＬ先のウェブサーバによる認証処理に用いられる認証情報とを記憶する記憶手段と、
前記クライアント端末から受け付けた前記ウェブページのログイン画面の表示情報の取得要求を、前記ウェブページを提供する前記ＵＲＬ先のウェブサーバに対して送信する取得要求送信手段と、
前記取得要求送信手段による取得要求に対する固有情報を含むログイン画面の表示情報を前記ウェブサーバから受信する受信手段と、
前記受信手段で受信した前記ログイン画面の表示情報に含まれる前記固有情報と前記記憶手段に記憶された前記ウェブページの認証情報を含むログイン指示情報であって、前記クライアント端末から前記ウェブページを提供する前記ＵＲＬ先のウェブサーバに、ユーザに新たな操作を求めることなくログインするためのログイン指示情報を前記クライアント端末に送信する送信手段と
を備えることを特徴とする情報処理装置。
【請求項２】
前記クライアント端末から受け付けた前記ウェブページのＵＲＬが所定のＵＲＬであるかを判定するＵＲＬ判定手段を更に備え、
前記取得要求送信手段は、前記ＵＲＬ判定手段により、前記ウェブページのＵＲＬが所定のＵＲＬであると判定されたことを条件に、前記クライアント端末から受け付けた前記ウェブページのログイン画面の表示情報の取得要求を、前記ウェブページのＵＲＬにより特定される前記ウェブサーバに対して送信することを特徴とする請求項１に記載の情報処理装置。
【請求項３】
前記ＵＲＬ判定手段により、前記ウェブページのＵＲＬが所定のＵＲＬでないと判定されたことを条件に、前記取得要求送信手段による取得要求処理を行うことなく、前記送信手段により、前記記憶手段に記憶される前記ウェブページの認証情報を含むログイン指示情報であって、前記クライアント端末から前記ウェブページのＵＲＬにより特定される前記ウェブサーバに、ユーザに新たな操作を求めることなくログインするためのログイン指示情報を前記クライアント端末に送信するように制御する制御手段を備えることを特徴とする請求項２に記載の情報処理装置。
【請求項４】
前記記憶手段は、前記取得要求送信手段により前記ウェブサーバに対してログイン画面の表示情報の取得要求をすべきウェブページのＵＲＬを記憶し、
前記所定のＵＲＬは、前記記憶手段に記憶された前記取得要求送信手段により前記ウェブサーバに対してログイン画面の表示情報の取得要求をすべきウェブページのＵＲＬであることを特徴とする請求項２または３に記載の情報処理装置。
【請求項５】
前記記憶手段は、前記認証情報に関連付けて、前記クライアント端末のユーザの認証処理を行うためのユーザ認証情報を更に記憶し、
前記クライアント端末から送信されたユーザ認証情報を受信する認証情報受信手段と、
前記認証情報受信手段で受信したユーザ認証情報に従って、前記ユーザの認証処理を行うユーザ認証手段と、
を更に備え、
前記送信手段は、前記受信手段で受信した前記ログイン画面の表示情報に含まれる前記固有情報と、前記ユーザ認証手段により認証されたユーザ認証情報に関連付けて前記記憶手段に記憶された前記ウェブページの認証情報とを含むログイン指示情報であって、前記クライアント端末から前記ウェブページを提供する前記ＵＲＬ先のウェブサーバに、ユーザに新たな操作を求めることなくログインするためのログイン指示情報を前記クライアント端末に送信することを特徴とする請求項１乃至４に記載の情報処理装置。
【請求項６】
クライアント端末とウェブページを提供するウェブサーバと通信可能であり、前記クライアント端末のブラウザの画面に表示されるウェブページのＵＲＬと、前記ウェブページを提供する当該ＵＲＬ先のウェブサーバによる認証処理に用いられる認証情報とを記憶する記憶手段を備えた情報処理装置の制御方法であって、
前記情報処理装置の取得要求送信手段が、前記クライアント端末から受け付けた前記ウェブページのログイン画面の表示情報の取得要求を、前記ウェブページを提供する前記ＵＲＬ先のウェブサーバに対して送信する取得要求送信工程と、
前記情報処理装置の受信手段が、前記取得要求送信工程による取得要求に対する固有情報を含むログイン画面の表示情報を前記ウェブサーバから受信する受信工程と、
前記情報処理装置の送信手段が、前記受信工程で受信した前記ログイン画面の表示情報に含まれる前記固有情報と前記記憶手段に記憶された前記ウェブページの認証情報を含むログイン指示情報であって、前記クライアント端末から前記ウェブページを提供する前記ＵＲＬ先のウェブサーバに、ユーザに新たな操作を求めることなくログインするためのログイン指示情報を前記クライアント端末に送信する送信工程と
を備えることを特徴とする情報処理方法。
【請求項７】
クライアント端末とウェブページを提供するウェブサーバと通信可能であり、前記クライアント端末のブラウザの画面に表示されるウェブページのＵＲＬと、前記ウェブページを提供する当該ＵＲＬ先のウェブサーバによる認証処理に用いられる認証情報とを記憶する記憶手段を備えた情報処理装置で読み取り実行可能なプログラムであって、
前記情報処理装置を、
前記クライアント端末から受け付けた前記ウェブページのログイン画面の表示情報の取得要求を、前記ウェブページを提供する前記ＵＲＬ先のウェブサーバに対して送信する取得要求送信手段と、
前記取得要求送信手段による取得要求に対する固有情報を含むログイン画面の表示情報を前記ウェブサーバから受信する受信手段と、
前記受信手段で受信した前記ログイン画面の表示情報に含まれる前記固有情報と前記記憶手段に記憶された前記ウェブページの認証情報を含むログイン指示情報であって、前記クライアント端末から前記ウェブページを提供する前記ＵＲＬ先のウェブサーバに、ユーザに新たな操作を求めることなくログインするためのログイン指示情報を前記クライアント端末に送信する送信手段として機能させることを特徴とするプログラム。
【手続補正２】
【補正対象書類名】明細書
【補正対象項目名】発明の名称
【補正方法】変更
【補正の内容】
【発明の名称】情報処理装置、その制御方法及びプログラム
【手続補正３】
【補正対象書類名】明細書
【補正対象項目名】０００１
【補正方法】変更
【補正の内容】
【０００１】
本発明は、情報処理装置、その制御方法及びプログラムに関し、特に、クライアント端末から受け付けたウェブページのログイン画面の表示情報の取得要求をウェブサーバに対して送信して、当該取得要求に対する固有情報を含むログイン画面の表示情報をウェブサーバから受信し、当該ログイン画面の表示情報に含まれる固有情報と当該ウェブページの認証情報を含み、ユーザに新たな操作を求めることなくログインするためのログイン指示情報をクライアント端末に送信することで、ユーザによる認証情報の入力操作を軽減するための仕組みに関するものである。
【手続補正４】
【補正対象書類名】明細書
【補正対象項目名】００１３
【補正方法】変更
【補正の内容】
【００１３】
本発明の目的は、クライアント端末から受け付けたウェブページのログイン画面の表示情報の取得要求をウェブサーバに対して送信して、当該取得要求に対する固有情報を含むログイン画面の表示情報をウェブサーバから受信し、当該ログイン画面の表示情報に含まれる固有情報と当該ウェブページの認証情報を含み、ユーザに新たな操作を求めることなくログインするためのログイン指示情報をクライアント端末に送信することで、ユーザによる認証情報の入力操作を軽減することである。
【手続補正５】
【補正対象書類名】明細書
【補正対象項目名】００１４
【補正方法】変更
【補正の内容】
【００１４】
本発明は、クライアント端末とウェブページを提供するウェブサーバと通信可能な情報処理装置であって、前記クライアント端末のブラウザの画面に表示されるウェブページのＵＲＬと、前記ウェブページを提供する当該ＵＲＬ先のウェブサーバによる認証処理に用いられる認証情報とを記憶する記憶手段と、前記クライアント端末から受け付けた前記ウェブページのログイン画面の表示情報の取得要求を、前記ウェブページを提供する前記ＵＲＬ先のウェブサーバに対して送信する取得要求送信手段と、前記取得要求送信手段による取得要求に対する固有情報を含むログイン画面の表示情報を前記ウェブサーバから受信する受信手段と、前記受信手段で受信した前記ログイン画面の表示情報に含まれる前記固有情報と前記記憶手段に記憶された前記ウェブページの認証情報を含むログイン指示情報であって、前記クライアント端末から前記ウェブページを提供する前記ＵＲＬ先のウェブサーバに、ユーザに新たな操作を求めることなくログインするためのログイン指示情報を前記クライアント端末に送信する送信手段とを備える。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
本発明は、クライアント端末とウェブページを提供するウェブサーバと通信可能であり、前記クライアント端末のブラウザの画面に表示されるウェブページのＵＲＬと、前記ウェブページを提供する当該ＵＲＬ先のウェブサーバによる認証処理に用いられる認証情報とを記憶する記憶手段を備えた情報処理装置の制御方法であって、前記情報処理装置の取得要求送信手段が、前記クライアント端末から受け付けた前記ウェブページのログイン画面の表示情報の取得要求を、前記ウェブページを提供する前記ＵＲＬ先のウェブサーバに対して送信する取得要求送信工程と、前記情報処理装置の受信手段が、前記取得要求送信工程による取得要求に対する固有情報を含むログイン画面の表示情報を前記ウェブサーバから受信する受信工程と、前記情報処理装置の送信手段が、前記受信工程で受信した前記ログイン画面の表示情報に含まれる前記固有情報と前記記憶手段に記憶された前記ウェブページの認証情報を含むログイン指示情報であって、前記クライアント端末から前記ウェブページを提供する前記ＵＲＬ先のウェブサーバに、ユーザに新たな操作を求めることなくログインするためのログイン指示情報を前記クライアント端末に送信する送信工程とを備える。
【手続補正９】
【補正対象書類名】明細書
【補正対象項目名】００１８
【補正方法】変更
【補正の内容】
【００１８】
本発明は、クライアント端末とウェブページを提供するウェブサーバと通信可能であり、前記クライアント端末のブラウザの画面に表示されるウェブページのＵＲＬと、前記ウェブページを提供する当該ＵＲＬ先のウェブサーバによる認証処理に用いられる認証情報とを記憶する記憶手段を備えた情報処理装置で読み取り実行可能なプログラムであって、前記情報処理装置を、前記クライアント端末から受け付けた前記ウェブページのログイン画面の表示情報の取得要求を、前記ウェブページを提供する前記ＵＲＬ先のウェブサーバに対して送信する取得要求送信手段と、前記取得要求送信手段による取得要求に対する固有情報を含むログイン画面の表示情報を前記ウェブサーバから受信する受信手段と、前記受信手段で受信した前記ログイン画面の表示情報に含まれる前記固有情報と前記記憶手段に記憶された前記ウェブページの認証情報を含むログイン指示情報であって、前記クライアント端末から前記ウェブページを提供する前記ＵＲＬ先のウェブサーバに、ユーザに新たな操作を求めることなくログインするためのログイン指示情報を前記クライアント端末に送信する送信手段として機能させることを特徴とする。
【手続補正１０】
【補正対象書類名】明細書
【補正対象項目名】００１９
【補正方法】変更
【補正の内容】
【００１９】
本発明によれば、クライアント端末から受け付けたウェブページのログイン画面の表示情報の取得要求をウェブサーバに対して送信して、当該取得要求に対する固有情報を含むログイン画面の表示情報をウェブサーバから受信し、当該ログイン画面の表示情報に含まれる固有情報と当該ウェブページの認証情報を含み、ユーザに新たな操作を求めることなくログインするためのログイン指示情報をクライアント端末に送信することで、ユーザによる認証情報の入力操作を軽減するための仕組みを提供することができる。